(57)【特許請求の範囲】
【請求項１】
受枠内に嵌め込まれる鉄蓋の下部に回動自在に取り付けられたロック本体と、前記鉄蓋に形成された手鉤孔と、前記ロック本体に回動自在に取り付けられた、前記手鉤孔の閉塞用小蓋と、前記受枠に形成されたフック受けとからなり、前記ロック本体は、前記フック受けと係合するフックを有し、鉄蓋閉塞時、前記ロック本体は、前記鉄蓋との軸支部を中心として前記フックが前記フック受けに係合する方向に回動すると共に、前記小蓋を上昇させて前記手鉤孔を閉塞させ、鉄蓋開放時、前記ロック本体は、前記小蓋の下降に伴って前記軸支部を中心として前記フックが前記フック受けから外れる方向に回動する、マンホール用鉄蓋の施錠装置において、
前記小蓋の昇降をガイドするガイド手段を有し、前記ガイド手段は、前記小蓋に形成された突起と、前記鉄蓋に形成された、前記突起が昇降するガイド溝とからなっていることを特徴とする、マンホール用鉄蓋の施錠装置。
【請求項２】
受枠内に嵌め込まれる鉄蓋の下部に回動自在に取り付けられたロック本体と、前記鉄蓋に形成された手鉤孔と、前記ロック本体に回動自在に取り付けられた、前記手鉤孔の閉塞用小蓋と、前記受枠に形成されたフック受けとからなり、前記ロック本体は、前記フック受けと係合するフックを有し、鉄蓋閉塞時、前記ロック本体は、前記鉄蓋との軸支部を中心として前記フックが前記フック受けに係合する方向に回動すると共に、前記小蓋を上昇させて前記手鉤孔を閉塞させ、鉄蓋開放時、前記ロック本体は、前記小蓋の下降に伴って前記軸支部を中心として前記フックが前記フック受けから外れる方向に回動する、マンホール用鉄蓋の施錠装置において、
前記小蓋の昇降をガイドするガイド手段を有し、前記ガイド手段は、前記鉄蓋に形成された突起と、前記小蓋に形成された前記突起に沿って昇降するガイド溝とからなっていることを特徴とする、マンホール用鉄蓋の施錠装置。
【請求項３】
前記突起の上部には、ストッパーが形成され、前記ガイド溝の下部には、前記ストッパーを受けるストッパー受けが形成されていることを特徴とする、請求項１記載の、マンホール用鉄蓋の施錠装置。
【請求項４】
前記ガイド溝の上部には、ストッパーが形成され、前記突起の下部には、前記ストッパーを受けるストッパー受けが形成されていることを特徴とする、請求項２記載の、マンホール用鉄蓋の施錠装置。
【請求項５】
前記フックが前記フック受けに係合する方向の回転力を前記ロック本体に付与するスプリングを有していることを特徴とする、請求項１から４の何れか１つに記載の、マンホール用鉄蓋の施錠装置。
【発明の詳細な説明】
【技術分野】
【０００１】
この発明は、マンホール用鉄蓋の施錠装置、特に、鉄蓋に形成された手鉤孔を閉塞する小蓋を円滑に昇降させることができる、マンホール用鉄蓋の施錠装置に関するものである。
【背景技術】
【０００２】
従来、受枠内に嵌め込まれる鉄蓋の施錠装置としては、特許文献１（特開平９−２５６３９号公報）に開示されるものがある。以下、この施錠装置を従来施錠装置と称し、図面を参照しながら説明する。
【０００３】
図７は、従来施錠装置によって鉄蓋が施錠された状態を示す断面図、図８は、従来施錠装置を示す組み立て斜視図である。
【０００４】
図７および図８において、２１は、内面にフック受け２１Ａが形成された受枠、２２は、受枠２１内に嵌め込まれた鉄蓋、２３は、下部にウエイト２３Ａを有するＬ字状ロック本体である。２４は、ロック本体２３の上方部両側面に水平（鉄蓋２２と平行）に突設された回転軸である。回転軸２４は、鉄蓋２２の周縁近傍の下部に、対向して形成された一対の溝２５内に回動自在に嵌合している。これによって、ロック本体２３は、鉄蓋２２と直交する面内において回動自在に回動する。溝２５の入口には、溝２５から回転軸２４が抜け出ないように、抜出し防止用ボルト２６が挿通されている。２７は、ロック本体２３の一端に設けられたフックであり、鉄蓋閉塞時、受枠２１のフック受け２１Ａと係合し、鉄蓋２２を施錠する。
【０００５】
ロック本体２３は、鉄蓋閉塞時、ウエイト２３Ａの自重によって回転軸２４を中心として、フック２７がフック受け２１Ａに係合する方向に回動し、同時に、後述する小蓋を上昇させて手鉤孔３０（後述する）を閉塞させる。一方、鉄蓋開放時、ロック本体２３は、前記小蓋の下降に伴って回転軸２４を中心としてウエイト２３Ａの自重に抗して、フック２７がフック受け２１Ａから外れる方向に回動する。２８は、ロック本体２３の回転軸２４の下方に突設された、前記小蓋の回動を制限するためのストッパーである。２９は、回転軸２４に固定された一対のアームであり、アーム２９の先端内側には、前記小蓋に形成された溝に回動自在に嵌合する係合軸２９Ａが対向して形成されている。
【０００６】
３０は、ロック本体２３の取付け位置に対応する鉄蓋部分に形成された手鉤孔である。手鉤孔３０は、上細りのテーパー状に形成され、その内周面には、前記小蓋が当接する段部３０Ａが形成されている。３１は、下部にウエイト３１Ａを有する、手鉤孔３０を閉塞するための小蓋である。小蓋３１の側面は、テーパー状の手鉤孔３０と合致するように上細りのテーパー状に形成されている。小蓋３１は、下部両側面に溝３１Ｂが形成され、溝３１Ｂ内に、ロック本体２３の係合軸２９Ａが回動自在に嵌合している。小蓋３１は、ウエイト３１Ａの自重によって水平を維持しながら昇降する。
【０００７】
このように構成されている、従来施錠装置による鉄蓋の開閉方法を、図面を参照しながら説明する。
【０００８】
図９は、従来施錠装置による鉄蓋の開閉状態を示す図であり、（Ａ）は、手鉤を手鉤孔に挿入した状態を示す断面図、（Ｂ）は、手鉤孔に挿入した手鉤を９０°回転させた状態を示す断面図、（Ｃ）は、手鉤を手前に引き上げて鉄蓋を持ち上げた状態を示す断面図である。図９において、図７および図８と同一番号は同一物を示す。
【０００９】
図９（Ａ）に示すように、手鉤３２のＴ字状先端３２Ａを手鉤孔３０に合わせ手鉤孔３０内に挿入し下方に押す。これによって、閉塞用小蓋３１が水平を維持したまま押し下げられる。なお、Ｔ字状先端３２Ａの長さは、手鉤孔３０の幅より長いので、手鉤孔３０の長手方向にＴ字状先端３２Ａを合わせないと、手鉤３２を手鉤孔３０内に挿入することができない。このようにして、小蓋３１が押し下げられると、ロック本体２３は、回転軸２４を中心として図９（Ａ）中、反時計方向に回動して、フック２７がフック受け２１Ａから外れ、鉄蓋２２の施錠が解除される。このようにして、鉄蓋２２の施錠が解除されたら、図９（Ｂ）に示すように、手鉤３２をその軸回りに９０°回転させる。この場合、小蓋３１が水平を維持したまま押し下げられているので、手鉤３２の軸回りの回転が容易に行える。これによって、手鉤３２のＴ字状先端３２Ａと手鉤孔３０とが係合して、手鉤３２は、手鉤孔３０から抜け出ない。このようにして、手鉤３２を手鉤孔３０に引っ掛けたら、図９（Ｃ）に示すように、手鉤３２を手前に引き上げる。これによって、鉄蓋２２が開放される。
【００１０】
一方、鉄蓋２２を閉塞するには、鉄蓋２２をそのまま受枠２１内に嵌め込めば良い。この場合、小蓋３１がロック本体２３のストッパー２８に当たるので、小蓋３１が図９中、時計回りに反転してウエイト３１Ａが鉄蓋２２から突出することはない。鉄蓋２２が受枠２１内に嵌め込まれると、ロック本体２３は、そのウエイト２３Ａの自重によって自然に回動し、フック２７がフック受け２１Ａと係合する。これと同時に、小蓋３１は、ロック本体２３によって上昇して手鉤孔３０が自動的に閉塞される。小蓋３１の上面は、鉄蓋２２の上面より若干下がっているので、手鉤孔３０上を車等が通っても、小蓋３１が押し下げられ、フック２７がフック受け２１Ａから外れて、施錠が解除される恐れはない。
【００１１】
【特許文献１】特開平９−２５６３９号公報
【発明の開示】
【発明が解決しようとする課題】
【００１２】
しかしながら、上述した従来施錠装置は、次のような問題を有していた。すなわち、小蓋３１は、ロック本体２３に対して、ロック本体２３の係合軸２９Ａが小蓋３１の溝３１Ｂに嵌まり込むことのみによって回動自在に支持されているので、不安定であった。この結果、鉄蓋２２の開閉時、小蓋３１が鉄蓋２２の内面と接触して、小蓋３１が円滑に昇降しないことがあった。この問題は、鉄蓋２２の開放時には、小蓋３１は、手鉤３２によって強制的に押し下げられるので、それほど問題にはならないが、鉄蓋２２の閉塞時には、小蓋３１は、そのウエイト３１Ａの自重によって上昇するので、小蓋３１が途中で鉄蓋２２の内面に引っ掛かって上昇しない恐れがあった。
【００１３】
従って、この発明の目的は、鉄蓋に形成された手鉤孔を閉塞する小蓋を、鉄蓋開閉時に円滑に昇降させることができる、マンホール用鉄蓋の施錠装置を提供することにある。
【課題を解決するための手段】
【００１４】
請求項１記載の発明は、受枠内に嵌め込まれる鉄蓋の下部に回動自在に取り付けられたロック本体と、前記鉄蓋に形成された手鉤孔と、前記ロック本体に回動自在に取り付けられた、前記手鉤孔の閉塞用小蓋と、前記受枠に形成されたフック受けとからなり、前記ロック本体は、前記フック受けと係合するフックを有し、鉄蓋閉塞時、前記ロック本体は、前記鉄蓋との軸支部を中心として前記フックが前記フック受けに係合する方向に回動すると共に、前記小蓋を上昇させて前記手鉤孔を閉塞させ、鉄蓋開放時、前記ロック本体は、前記小蓋の下降に伴って前記軸支部を中心として前記フックが前記フック受けから外れる方向に回動する、マンホール用鉄蓋の施錠装置において、前記小蓋の昇降をガイドするガイド手段を有し、前記ガイド手段は、前記小蓋に形成された突起と、前記鉄蓋に形成された、前記突起が昇降するガイド溝とからなっていることに特徴を有するものである。
【００１５】
請求項２記載の発明は受枠内に嵌め込まれる鉄蓋の下部に回動自在に取り付けられたロック本体と、前記鉄蓋に形成された手鉤孔と、前記ロック本体に回動自在に取り付けられた、前記手鉤孔の閉塞用小蓋と、前記受枠に形成されたフック受けとからなり、前記ロック本体は、前記フック受けと係合するフックを有し、鉄蓋閉塞時、前記ロック本体は、前記鉄蓋との軸支部を中心として前記フックが前記フック受けに係合する方向に回動すると共に、前記小蓋を上昇させて前記手鉤孔を閉塞させ、鉄蓋開放時、前記ロック本体は、前記小蓋の下降に伴って前記軸支部を中心として前記フックが前記フック受けから外れる方向に回動する、マンホール用鉄蓋の施錠装置において、前記小蓋の昇降をガイドするガイド手段を有し、前記ガイド手段は、前記鉄蓋に形成された突起と、前記小蓋に形成された前記突起に沿って昇降するガイド溝とからなっていることに特徴を有するものである。
【００１６】
請求項３記載の発明は、請求項１記載の発明において、前記突起の上部には、ストッパーが形成され、前記ガイド溝の下部には、前記ストッパーを受けるストッパー受けが形成されていることに特徴を有するものである。
【００１７】
請求項４記載の発明は、請求項２記載の発明において、前記ガイド溝の上部には、ストッパーが形成され、前記突起の下部には、前記ストッパーを受けるストッパー受けが形成されていることに特徴を有するものである。
【００１８】
請求項５記載の発明は、請求項１から４の何れか１つに記載の発明において、前記フックが前記フック受けに係合する方向の回転力を前記ロック本体に付与するスプリングを有していることに特徴を有するものである。
【発明の効果】
【００１９】
この発明によれば、鉄蓋に形成された手鉤孔を閉塞する小蓋の昇降をガイドするガイド手段を設けることによって、鉄蓋開閉時、小蓋が受枠と接触して小蓋が円滑に昇降せず、特に、鉄蓋の閉塞時に小蓋が上昇しない事態を確実に防止することができる。さらに、ガイド手段にストッパーとこれを受けるストッパー受けとを設けることによって、小蓋の鉄蓋からの脱落を確実に防止することができる。
【発明を実施するための最良の形態】
【００２０】
次に、この発明の、マンホール用鉄蓋の施錠装置の一実施態様を図面を参照しながら説明する。
【００２１】
図１は、この発明の施錠装置の小蓋とロック本体との組み立て斜視図、図２は、この発明の施錠装置の鉄蓋を示す部分断面図、図３は、図２のＡ方向視図、図４は、この発明の施錠装置の小蓋とロック本体とを鉄蓋に取り付けた状態を示す断面図、図５は、図４のＢ方向視図である。
【００２２】
図１から図５において、１は、内面にフック受け１Ａが形成された受枠（図６参照）、２は、受枠１内に嵌め込まれた鉄蓋、３は、下部にウエイト３Ａを有するＬ字状ロック本体である。４は、ロック本体３の上方部両側面に水平（鉄蓋１と平行）に突設された回転軸である。回転軸４は、鉄蓋２の周縁近傍の下部に、対向して形成された一対の溝５内に回動自在に嵌合している。これによって、ロック本体３は、鉄蓋２と直交する面内において回動自在に回動する。溝５の入口には、溝５から回転軸４が抜け出ないように、抜出し防止用ボルト６が挿通されている。７は、ロック本体３の一端に設けられたフックであり、鉄蓋閉塞時、受枠１のフック受け１Ａと係合し、鉄蓋２を施錠する。
【００２３】
ロック本体３は、鉄蓋閉塞時、ウエイト３Ａの自重によって回転軸４を中心として、フック７がフック受け１Ａに係合する方向に回動し、同時に、後述する小蓋１０（後述する）を上昇させて手鉤孔を閉塞させる。一方、鉄蓋開放時、ロック本体３は、小蓋１０の下降に伴って回転軸４を中心としてウエイト３Ａの自重に抗して、フック７がフック受け１Ａから外れる方向に回動する。８は、ロック本体３にそのフック５側に突設されたアームであり、アーム８の先端両側には、小蓋１０に形成された溝１０Ｂ（後述する）に回動自在に嵌合する係合軸８Ａが形成されている。
【００２４】
９は、ロック本体３の取付け位置に対応する鉄蓋２部分に形成された手鉤孔である。１０は、下部にウエイト１０Ａを有する、手鉤孔９を閉塞するための小蓋である。小蓋１０の中央部には溝１０Ｃが形成され、この溝１０Ｃ内にロック本体３の係合軸８Ａが挿入され、これにより小蓋１０は、ロック本体３に対して回動自在に取り付けられている。小蓋１０は、鉄蓋開閉時に後述するガイド手段１１によってガイドされる。
【００２５】
１１は、小蓋１０の昇降をガイドするガイド手段である。ガイド手段１１は、小蓋１０の両側面に形成された突起１２と、鉄蓋２の手鉤孔９部分に形成されたガイド溝１３とから構成されている。図１に示すように、突起１２の上部には、ストッパー１２Ａが形成され、ガイド溝１３の下部には、ストッパー１２Ａを受けるストッパー受け１３Ａが形成されている。
【００２６】
このように構成されている、この発明の施錠装置による鉄蓋の開閉方法を、図面を参照しながら説明する。
【００２７】
図６は、この発明の施錠装置による鉄蓋の開閉状態を示す図であり、（Ａ）は、手鉤を手鉤孔に挿入した状態を示す断面図、（Ｂ）は、手鉤孔に手鉤をさらに挿入して施錠を解除した状態を示す断面図、（Ｃ）は、手鉤を手前に引き上げて鉄蓋を開放する状態を示す断面図である。図６において、図１から図５と同一番号は同一物を示す。
【００２８】
図６（Ａ）に示すように、手鉤１４のＵ字状先端１４Ａを手鉤孔９に挿入して、小蓋１０を押し下げる。さらに手鉤１４を押し下げると、小蓋１０の下降に伴ってロック本体３が回転軸４を中心として図６（Ｂ）中、反時計方向に回動し、これによりフック７がフック受け１Ａから外れ、鉄蓋２の施錠が解除される。このようにして、鉄蓋２の施錠が解除されたら、図６（Ｃ）に示すように、手鉤１４を手前に引き上げて手鉤孔９に引っ掛ける。そして、手鉤１４をさらに手前に引き上げれば、鉄蓋２がこじ開けられる。この作業は、手鉤１４の突起１４Ｂを受枠１に引っ掛けることによって、テコの原理により簡単に行える。
【００２９】
手鉤１４により小蓋１０が押し下げられる際、小蓋１０の突起１２が鉄蓋２のガイド溝１３にガイドされるので、小蓋１０は、どこにも引っ掛かることなく、水平を維持した状態で円滑に下降する。小蓋１０が下降すると、突起１２のストッパー１２Ａが鉄蓋２のガイド溝１３のストッパー受け１３Ａに当たるので、小蓋１０がガイド溝１３から外れることはない。
【００３０】
一方、鉄蓋２を閉塞するには、鉄蓋２をそのまま受枠１内に嵌め込めば良い。鉄蓋２が受枠１内に嵌め込まれる際、ロック本体３は、その下面が受枠１の上面に当たることによって自然に半時計方向に回動し、その後、鉄蓋２が閉塞されると、ウエイト３Ａの自重によって自然に回動し、フック７がフック受け１Ａと係合する。これと同時に、小蓋１０は、ロック本体３により持ち上げられて、手鉤孔９が自動的に閉塞される。小蓋１０の上面は、鉄蓋２の上面より若干下がっているので、手鉤孔９上を車等が通っても、小蓋１０が押し下げられ、フック７がフック受け１Ａから外れて、施錠が解除される恐れはない。
【００３１】
ロック本体３により小蓋１０が押し上げられる際、小蓋１０の突起１２が鉄蓋２のガイド溝１３にガイドされるので、小蓋１０は、どこにも引っ掛かることなく、水平を維持した状態で円滑に上昇する。
【００３２】
このように、鉄蓋２に形成された手鉤孔９を閉塞する小蓋１０の昇降をガイドするガイド手段１１を設けることによって、鉄蓋開閉時、小蓋１０は、どこにも引っ掛かることなく円滑に昇降する。
【００３３】
以上は、小蓋１０のガイド手段１１を、小蓋１０に形成した突起１２と鉄蓋２に形成したガイド溝１３とによって構成した例であるが、小蓋１０のガイド手段１１を、鉄蓋２に形成した突起と、小蓋１０に形成した、前記突起に沿って昇降するがガイド溝とにより構成しても良い。この場合、小蓋１０の抜け止め防止のためのストッパーは、前記ガイド溝の上部に形成し、前記ストッパーを受けるストッパー受けは、前記突起の下部に形成する。
【００３４】
なお、鉄蓋２を閉塞する際、ロック本体３は、そのウエイト３Ａの自重によって施錠方向に回動するが、この回動を確実にするために、図４に示すように、ロック本体３に、そのフック７がフック受け１Ａに係合する方向の回転力をロック本体３に付与するスプリング１５を取り付けても良い。
【図面の簡単な説明】
【００３５】
【図１】この発明の施錠装置の小蓋とロック本体との組み立て斜視図である。
【図２】この発明の施錠装置の鉄蓋を示す部分断面図である。
【図３】図２のＡ方向視図である。
【図４】この発明の施錠装置の小蓋とロック本体とを鉄蓋に取り付けた状態を示す断面図である。
【図５】図４のＢ方向視図である。
【図６】この発明の施錠装置による鉄蓋の開閉状態を示す図であり、（Ａ）は、手鉤を手鉤孔に挿入した状態を示す断面図、（Ｂ）は、手鉤孔に手鉤をさらに挿入して施錠を解除した状態を示す断面図、（Ｃ）は、手鉤を手前に引き上げて鉄蓋を開放する状態を示す断面図である。
【図７】従来施錠装置によって鉄蓋が施錠された状態を示す断面図である。
【図８】従来施錠装置を示す組み立て斜視図である。
【図９】従来施錠装置による鉄蓋の開閉状態を示す図であり、（Ａ）は、手鉤を手鉤孔に挿入した状態を示す断面図、（Ｂ）は、手鉤孔に挿入した手鉤を９０°回転させた状態を示す断面図、（Ｃ）は、手鉤を手前に引き上げて鉄蓋を持ち上げた状態を示す断面図である。
【符号の説明】
【００３６】
１：受枠
１Ａ：フック受け
２：鉄蓋
３：ロック本体
３Ａ：ウエイト
４：回転軸
５：溝
６：抜出し防止用ボルト
７：フック
８：アーム
８Ａ：係合軸
９：手鉤孔
１０：小蓋
１０Ａ：ウエイト
１０Ｂ：溝
１１：ガイド手段
１２：突起
１２Ａ：ストッパー
１３：ガイド溝
１３Ａ：ストッパー受け
１４：手鉤
１４Ａ：Ｕ字状先端
１４Ｂ：突起
１５：スプリング
２１：受枠
２１Ａ：フック受け
２２：鉄蓋
２３：ロック本体
２３Ａ：ウエイト
２４：回転軸
２５：溝
２６：抜出し防止用ボルト
２７：フック
２８：ストッパー
２９：アーム
２９Ａ：係合軸
３０：手鉤孔
３０Ａ：段部
３１：小蓋
３１Ａ：ウエイト
３１Ｂ：溝
３２：手鉤
３２Ａ：Ｔ字状先端
【図１】
0004648218.tif 000002
【図２】
0004648218.tif 000003
【図３】
0004648218.tif 000004
【図４】
0004648218.tif 000005
【図５】
0004648218.tif 000006
【図６】
0004648218.tif 000007
【図７】
0004648218.tif 000008
【図８】
0004648218.tif 000009
【図９】
0004648218.tif 000010